(57)【要約】【課題】グリスタンク内のグリス残量を、ガラス窓から容易に目視確認できるグリスタンク装置の提供。【解決手段】本発明は、摺動部に供給されるグリス１５が収容されるグリスタンク９と、このグリスタンク９に収容されたグリス１５を摺動部に供給するグリスポンプ１０とを備え、グリスタンク９の側面に、グリスタンク９内に収容されたグリス１５の残量の目視確認を可能とするガラス窓１１を設けたグリスタンク装置において、グリスタンク９に設けられたガラス窓１１の裏面１１ａの清掃が可能な清掃装置を備えている。清掃装置は、ガラス窓１１の裏面１１ａに接触可能な羽根１４と、この羽根１４が取り付けられる保持体１３を備えている。【選択図】図２
2016114091.tif 000002
【特許請求の範囲】
【請求項１】
摺動部に供給されるグリスが収容されるグリスタンクと、このグリスタンクに収容されたグリスを摺動部に供給するグリスポンプとを備え、前記グリスタンクの側面に、前記グリスタンク内に収容されたグリスの残量の目視確認を可能とするガラス窓を設けたグリスタンク装置において、
前記グリスタンクに設けられた前記ガラス窓の裏面の清掃が可能な清掃装置を備えたことを特徴とするグリスタンク装置。
【請求項２】
請求項１に記載のグリスタンク装置において、
前記清掃装置は前記ガラス窓の裏面に接触可能な羽根と、この羽根が取り付けられる保持体を備えたことを特徴とするグリスタンク装置。
【請求項３】
請求項２に記載のグリスタンク装置において、
前記保持体は、円形断面を有する保持部と、前記保持部をその軸心回りに回転させるハンドル部とを有し、前記グリスタンクの上部に設けられ、前記保持部を回転可能に支持する支持部を備えたことを特徴とするグリスタンク装置。
【請求項４】
請求項２に記載のグリスタンク装置において、
前記羽根は平板形状から成ることを特徴とするグリスタンク装置。
【請求項５】
請求項２に記載のグリスタンク装置において、
前記羽根は螺旋形状から成ることを特徴とするグリスタンク装置。
【請求項６】
請求項１〜５のいずれか１項に記載のグリスタンク装置において、
前記グリスタンクの側面の前記ガラス窓の近傍位置に、前記グリスタンク内のグリス残量が注入時期に至ったことを示す標示部を設けたことを特徴とするグリスタンク装置。
【発明の詳細な説明】
【技術分野】
【０００１】
本発明は、油圧ショベル等の建設機械に備えられ、グリスの残量を目視確認できるガラス窓を有するグリスタンク装置に関する。
【背景技術】
【０００２】
この種の従来のグリスタンク装置として例えば特許文献１に示されるものがある。この特許文献１にはグリスが収容されるタンクと、このタンクに収容されたグリスを外部給脂部位に供給するポンプと、タンクに形成され、このタンクにグリスを注入する注入口を備えた機構が開示されている。なお、この特許文献１には開示されていないが、タンク内のグリスの残量を目視確認できるガラス窓を、タンクの側面に設けたものも多い。
【先行技術文献】
【特許文献】
【０００３】
【特許文献１】特開平１１−１３２３９２号公報
【発明の概要】
【発明が解決しようとする課題】
【０００４】
前述したガラス窓付きのタンクでは、グリスの粘性により窓内側がグリスの層で覆われてしまい、グリス残量を目視確認することが困難になりやすい。また、グリスタンクが空の状態であることに気付かないまま建設機械の運転することは、外部給脂部位の異常摩耗の原因となり車体寿命を短くする。
【０００５】
本発明は、前述の事情に鑑みてなされたもので、グリスタンク内のグリス残量を、ガラス窓から容易に目視確認できるグリスタンク装置を提供することを目的とする。
【課題を解決するための手段】
【０００６】
この目的を達成するために、本発明は、摺動部に供給されるグリスが収容されるグリスタンクと、このグリスタンクに収容されたグリスを摺動部に供給するグリスポンプとを備え、前記グリスタンクの側面に、前記グリスタンク内に収容されたグリスの残量の目視確認を可能とするガラス窓を設けたグリスタンク装置において、前記グリスタンクに設けられた前記ガラス窓の裏面の清掃が可能な清掃装置を備えたことを特徴としている。
【発明の効果】
【０００７】
本発明に係るグリスタンク装置は、清掃装置によってガラス窓の裏面の清掃を行うことができる。これにより本発明は、グリスタンク内のグリス残量をガラス窓から容易に目視確認できる。したがって、本発明は、グリスタンク内が空の状態になることを確実に防止できる。これにより本発明は、従来懸念されていたグリス供給不良による建設機械のグリス供給必要部位の異常摩耗を防ぐことができ、信頼性の高いグリスタンク装置を実現することができる。
【図面の簡単な説明】
【０００８】
【図１】本発明に係るグリスタンク装置の一実施形態が備えられる建設機械の一例として挙げた油圧ショベルを示す側面図である。
【図２】本実施形態に係るグリスタンク装置を示す図で、（ａ）図は正面図、（ｂ）図は（ａ）図の一部を破断して示した図である。
【図３】図２の要部拡大図である。
【図４】図２（ｂ）図のＡ部断面拡大図である。
【図５】本実施形態に備えられる清掃装置の動作を示す図で、（ａ）図は清掃開始前の羽根の状態を示す図、（ｂ）図は羽根によりガラス窓の清掃が開始された状態を示す図、（ｃ）図は羽根によりガラス窓の清掃が行われた図である。
【図６】本発明の別の実施形態に備えられる羽根を示す正面図である。
【発明を実施するための形態】
【０００９】
以下、本発明に係るグリスタンク装置の実施の形態を図面に基づいて説明する。
【００１０】
本発明に係るグリスタンク装置の一実施形態が備えられている建設機械は、例えば油圧ショベルである。この油圧ショベルは、図１に示すように、走行体１と、走行体１上に配置される旋回体２と、この旋回体２に上下方向の回動を可能に連結されるフロントアタッチメント３とを備えている。
【００１１】
フロントアタッチメント３は、旋回体２に連結されるブーム４と、このブーム４の先端に連結されるアーム５と、このアーム５の先端に連結されるバケット６とを含んでいる。また、フロントアタッチメント３は、ブーム４を駆動するブームシリンダ４ａと、アーム５を駆動するアームシリンダ５ａと、バケット６を駆動するバケットシリンダ６ａとを含んでいる。
【００１２】
旋回体２上にはエンジン、油圧ポンプ等が収納されたエンジン室７を配置してある。エンジン室７の後方位置にはカウンタウェイト８を配置してある。本実施形態に係るグリスタンク装置は、例えば旋回体２上のエンジン室７の前側位置に配置してある。
【００１３】
本実施形態に係るグリスタンク装置は、図２に示すように、フロントアタッチメント３の各連結部に形成される摺動部に供給されるグリス１５が収容されるグリスタンク９と、このグリスタンク９に収容されるグリス１５を前述の摺動部に供給するグリスポンプ１０とを備えている。
【００１４】
グリスタンク９の側面９ａには、グリスタンク９内に収容されたグリス１５の残量の目視確認を可能とするガラス窓１１を設けてある。このガラス窓１１の近傍位置には、グリスタンク９内のグリス１５の残量が注入時期に至ったことを示す標示部１２を設けてある。
【００１５】
本実施形態に係るグリスタンク装置は、グリスタンク９の内部に位置するガラス窓１１の図５に示す裏面１１ａの清掃が可能な清掃装置を備えている。
【００１６】
前述の清掃装置には、図３、４にも示すように、ガラス窓１１の裏面１１ａに接触可能な羽根１４と、この羽根１４が取り付けられる保持体１３とを備えている。
【００１７】
図３に示すように、保持体１３は、円形断面を有する保持部１３ａと、この保持部１３ａを、その軸心回りに回転させるハンドル部１３ｂとを有している。グリスタンク９の上面９ｂには、保持体１３の保持部１３ａを回転可能に支持する支持部１３ｃを備えている。
【００１８】
図４に示すように、羽根１４は、保持体１３の保持部１３ａに溶接される芯材１４ａと、この芯材１４ａに一体に形成されたゴム部１４ｂとから成り、例えば全体が平板形状に形成されている。
【００１９】
このように構成した本実施形態は、グリスタンク内に収容されたグリスの残量の目視確認時には、清掃装置を作動させることが行われる。ハンドル部１３ｂを把持してハンドルを回転させると支持部１３ｃに支持された保持部１３ａが、その軸心回りに回転し、これにより保持部１３ａに一体に設けられた羽根１４が、図５（ａ）に示す状態から図５（ｂ）（ｃ）に示す状態になり、羽根のゴム部がガラス窓１１の裏面１１ａを擦る。これによりガラス窓１１の裏面１１ａに層状に付着しているグリス１５の相当量が除去され、グリスタンク９の内部に収容されているグリス１５の液面境界の目視確認が可能となる。これにより、グリスタンク９内のグリス１５の残量をガラス窓１１から容易に目視確認できる。したがって、本実施形態は、グリスタンク９内が空の状態になることを確実に防止できる。これによりグリス１５の供給不良による建設機械のフロントアタッチメント３の摺動部等のグリス供給必要部位の異常摩耗を防ぐことができ、信頼性の高いグリスタンク装置を実現することができる。
【００２０】
また、本実施形態は羽根１４が平板状であることから、羽根１４の形状を単純化することができ、実用性に富む。
【００２１】
また、本実施形態は、グリスタンク９の側面９ａのガラス窓１１の近傍位置に、グリスタンク９内のグリス１５の残量が注入時期に至ったことを示す標示部１２を設けてあることからグリスタンク９内のグリス１５の残量を容易に判断することができる。
【００２２】
また、本実施形態は、保持体１３のハンドル部１３ｂの上方に機器や部材等の構造体が接近していてもハンドル部１３ｂを回転させることのできる空間部が存在していれば適用可能であり、汎用性に優れている。
【００２３】
また、本実施形態は、羽根１４が芯材１４ａを備えていることから、強度を確保でき、また、芯材１４ａに一体にゴム部１４ｂを設け、このゴム部１４ｂによってガラス窓１１の裏面１１ａに付着したグリス１５を除去するようにしてあることから、耐久性に優れている。
【００２４】
図６は本発明の別の実施形態に備えられる羽根を示す正面図である。この図６に示す羽根２０は保持部１３ａに一体に設けられ、螺旋形状から成っている。このように構成したものでは、羽根２０の回転に伴ってガラス窓１１の裏面１１ａから掻き取ったグリス１５を下方に落とすことができ、優れた除去性能を有する。
【００２５】
なお、グリスタンク９の上方に保持体１３の長さ寸法に比べて、広い空間が存在する場合には、前述のように保持体１３を回転させずに、上下方向に移動させることによって、ガラス窓１１の裏面１１ａに付着したグリス１５を除去するようにしても良い。
【００２６】
また、グリスタンクの上部に、保持体１３をガラス窓１１の裏面１１ａに沿った平面内で回動可能に保持する支持部を設け、保持体１３をワイパーのように回動させてガラス窓１１の裏面１１ａに付着したグリス１５を除去するようにしても良い。
【００２７】
また、羽根１４，２０によるグリス１５の清掃を容易にするためにガラス窓１１付近にグリス１５を軟化させる熱を付与する加熱装置を設けるようにしても良い。
【００２８】
また、ガラス窓１１の裏面１１ａに対向する位置に、発光体を設けても良い。このように構成したものではグリスタンク９内のグリス１５の液面境界がより明確に目視可能となる。
【００２９】
また、羽根１４，２０の色を白色や黄色等の明るい色に設定しても良い。このように構成したものでは比較的暗いグリスタンク９内における羽根１４，２０の回転状態が、正常か否か容易に確認することができる。
【００３０】
また、羽根１４，２０の下方部分に、複数の切欠き部を設けても良い。このように構成したものでは羽根１４，２０によってガラス窓１１の裏面１１ａに付着したグリスの除去時に除去したグリス１５の一部を複数の切欠き部のそれぞれに収容させることができ、ガラス窓１１の裏面１１ａの除去精度を高めることができる。これによって、より高い精度でグリス１５の液面境界を目視確認することができる。
【符号の説明】
【００３１】
１    走行体
２    旋回体
３    フロントアタッチメント
４    ブーム
４ａ  ブームシリンダ
５    アーム
５ａ  アームシリンダ
６    バケット
６ａ  バケットシリンダ
７    エンジン室
９    グリスタンク装置
９ａ  側面
９ｂ  上部
１０  グリスポンプ
１１  ガラス窓
１１ａ  裏面
１２  標示部
１３  保持体
１３ａ  保持部
１３ｂ  ハンドル部
１３ｃ  支持部
１４  羽根
１４ａ  芯材
１４ｂ  ゴム部
１５  グリス
２０  羽根
【図１】
2016114091.tif 000003
【図２】
2016114091.tif 000004
【図３】
2016114091.tif 000005
【図４】
2016114091.tif 000006
【図５】
2016114091.tif 000007
【図６】
2016114091.tif 000008